(57)【要約】【課題】毛細管現象にもとづく水の侵入を防ぎ、機器の防水特性を高めることを目的とするものである。【解決手段】フランジ８を有するとともに、制御機器５を収納した制御基盤７と、前記制御基盤７の前方に取付けられた操作パネル９とを具備し、この操作パネル９と前記フランジ８との接合部の一部に空間部１３を形成し、前記接合部に存在する毛細管現象にもとづく水侵入経路の空間部側端部に水の表面張力を作用させ、この表面張力による栓作用で空間部以降の毛細管現象にもとづく水侵入を阻止した。【選択図】図３
2007139304.tif 000002
【特許請求の範囲】
【請求項１】
第１構造物と、この第１構造物に接合させた第２構造物と、これら第１，第２構造物の接合部に存在する毛細管現象にもとづく水侵入経路と、この水侵入経路に連通して形成した空間部とを有し、水侵入経路の空間部側端部に水の表面張力を作用させ、この表面張力による栓作用で空間部以降の毛細管現象にもとづく水侵入を阻止した防水装置。
【請求項２】
フランジを有するとともに、制御機器を収納した制御基盤と、前記制御基盤の前方に取付けられた操作パネルとを具備し、この操作パネルと前記フランジとの接合部の一部に空間部を形成し、前記接合部に存在する毛細管現象にもとづく水侵入経路の空間部側端部に水の表面張力を作用させ、この表面張力による栓作用で空間部以降の毛細管現象にもとづく水侵入を阻止した操作パネル装置。
【請求項３】
空間部に至る毛細管現象にもとづく水侵入経路にラビリンス部を設けた請求項２記載の操作パネル装置。
【請求項４】
請求項２または３記載の操作パネル装置を備えた高周波加熱調理器。
【発明の詳細な説明】
【技術分野】
【０００１】
本発明は制御部への水の浸入を防止するようにした防水装置およびそれを用いた操作パネル装置並びにこの操作パネル装置を具備した高周波加熱調理器に関するものである。
【背景技術】
【０００２】
例えば、従来の加熱調理器の操作パネル装置は、制御機器を収納した制御基盤と、この制御基盤のフランジ前面に取付けられた操作パネルとから構成されるのが一般的であった。操作パネルは合成樹脂からなるパネルと印刷シートとをインサート成形したもので、複数の操作部を有する。
【０００３】
そして、制御基盤のフランジと操作パネルの接合部には防水のためのシール材が介在されており、従来はそのシール材として独立発泡クッションゴムや、所謂、両面接着テープを使用していた（例えば、特許文献１参照）。
【特許文献１】特開昭６１−２８２７２３号公報
【発明の開示】
【発明が解決しようとする課題】
【０００４】
しかしながら、前記従来の防水対策では毛細管現象による水侵入を阻止するところまでは期待できず、僅かであるが制御基盤に収納された制御機器まで水が達してしまうことが時として生じていた。そのため、制御機器が故障を起こすおそれがあった。
【０００５】
本発明はこのような課題を解消したもので、毛細管現象による水侵入を合理的に阻止し、制御機器などの水侵入による不都合をなくすことを目的とする。
【課題を解決するための手段】
【０００６】
前記目的を達成するために本発明の防水装置は、第１構造物と、この第１構造物に接合させた第２構造物と、これら第１，第２構造物の接合部に存在する毛細管現象にもとづく水侵入経路と、この水侵入経路に連通して形成した空間部とを有し、水侵入経路の空間部側端部に水の表面張力を作用させ、この表面張力による栓作用で空間部以降の毛細管現象にもとづく水侵入を阻止したものである。
【発明の効果】
【０００７】
本発明によれば、水侵入経路の空間部側端部に作用する表面張力を利用して栓作用を発揮させ、これによって確実にそれ以降の水侵入を防止できるもので、例えば、第１構造物に収納されている機器を水から保護できるものである。
【発明を実施するための最良の形態】
【０００８】
本発明は、第１構造物と、この第１構造物に接合させた第２構造物と、これら第１，第２構造物の接合部に存在する毛細管現象にもとづく水侵入経路と、この水侵入経路に連通して形成した空間部とを有し、水侵入経路の空間部側端部に水の表面張力を作用させ、この表面張力による栓作用で空間部以降の毛細管現象にもとづく水侵入を阻止した。
【０００９】
具体的には、操作パネル装置において、フランジを有するとともに、制御機器を収納した制御基盤と、前記制御基盤の前方に取付けられた操作パネルとを具備し、この操作パネルと前記フランジとの接合部の一部に空間部を形成し、前記接合部に存在する毛細管現象にもとづく水侵入経路の空間部側端部に水の表面張力を作用させ、この表面張力による栓作用で空間部以降の毛細管現象にもとづく水侵入を阻止した。
【００１０】
そして、空間部に至る毛細管現象にもとづく水侵入経路にラビリンス部を形成しておけば、防水性をさらに高めることができる。
【００１１】
そして、高周波加熱調理器の操作パネル装置にそれを活用することによって、故障などの少ないものが提供できるものである。
【００１２】
（実施の形態１）
本実施の形態は、高周波加熱調理器の操作パネル装置に実施した例を示し、すなわち、図１〜図４において、扉体１によって前方開放部が開閉され、高周波発生源で発生した高周波が照射される調理室（図示せず）を装置本体２に内設している。
【００１３】
前記扉体１は下端にヒンジをもつ回動式のもので、その下方部に操作パネル装置３が配備されていて、ハンドル４を介して開閉操作される。
【００１４】
前記操作パネル装置３は、各種制御機器５を収納空間６に配置した第１構造物としての制御基盤７と、前記制御基盤７における収納空間６の開放縁から外方向に延びるフランジ８に接合させた第２構造物としての操作パネル９とを主要構成としている。この操作パネル９は、前記収納空間６と対応する裏側がパネル受１０で受止められるようにしてあり、また前面が押圧部材１１で押圧されている。
【００１５】
さらに、前記操作パネル９は透明樹脂をインサート成形した合成樹脂成形品であり、前記各種制御機器５を操作する複数の操作部１２を有するもので、フランジ８との接合部には必要に応じて独立発泡クッションゴムや、所謂、両面接着テープなどからなるシール材が介在されている。
【００１６】
ところで、前記操作パネル９とフランジ８との接合部の途中には同フランジ７の一部を窪ませることで空間部１３が形成してあり、さらに、この空間１３の外周側に近接して操作パネルの裏面より突起１４を突設することで蛇行状隙間とし、これをラビリンス部１５として設定している。
【００１７】
前記の構成において、操作パネル９とフランジ８との接合部にはシール材が介在されているけれども、それだけでは防水が不十分である。その対策の一つとして空間部１３に至る接合部にラビリンス部１５を形成して、水侵入に対して高抵抗を発揮するようにしているものである。しかし、本実施の形態の主眼は、空間部１３を形成したことである。
【００１８】
すなわち、図４にも示すように、操作パネル９とフランジ８との接合部は大気に対して略密閉状態であるから、同接合部を毛細管現象によって侵入してきた水は空間１３に達したところＸで表面張力が働き、これが栓作用を発揮することとなる。したがって、水の侵入はここで阻止されるものである。
【００１９】
その結果、各種制御機器５の収納空間６までは水の侵入がなく、その各種制御機器５の故障などを防止することができることとなる。
【００２０】
前記したラビリンス部１５は防水特性を一段と高めるためのもので、場合によっては省略してもよい。ラビリンス部１５の配置を前提にするならば、その配置部位は空間１３の外周側に限らず、毛細管現象にもとづく水侵入経路であって、空間部１３の上流側であればよい。
【００２１】
空間部１３の存在理由は、前記した表面張力作用をつくりだすところにあるが、衝撃が
加わることによって表面張力作用が瞬間的に破壊され、数滴の僅かな水が空間１３に流れ込むことが考えられる。そのため、前記空間部１３の容積はある程度大きく確保しておくのが望ましい。
【００２２】
以上のように本発明にかかる防水装置は、水侵入経路の空間部側端部に作用する表面張力を利用して栓作用を発揮させ、これによって確実にそれ以降の水侵入を防止できるものであり、水のかかるおそれのある機器、例えば、洗濯機、食器洗浄機などへの利用も可能である。
【図面の簡単な説明】
【００２３】
【図１】本発明の実施の形態を示す高周波加熱調理器の斜視図
【図２】同操作パネル部の縦断面図
【図３】同操作パネル部の横縦断面図
【図４】同要部作用説明図
【符号の説明】
【００２４】
５  制御機器
６  収納空間
７  制御基盤（第１構造物）
８  フランジ
９  操作パネル（第２構造物）
１３  空間部
【図１】
2007139304.tif 000003
【図２】
2007139304.tif 000004
【図３】
2007139304.tif 000005
【図４】
2007139304.tif 000006